(57)【要約】【課題】本発明は、車両用電装システムに関し、車体と、ドア等の開閉体との間に架け渡される電力供給用ハーネスを省略することができるとともに、開閉体が開いているときにも開閉体に設置された電装品を駆動可能とすることを目的とする。【解決手段】本発明の車両用電装システム１は、車体に対し開閉可能なドアに設置されたパワーウィンドウモータ２と、車体に設置された給電端子５と、ドアに設置された受電端子１０と、車体に搭載されたバッテリ３の電力を給電端子５および受電端子１０を介してパワーウィンドウモータ２へ供給する電力供給線９，１５，１６と、ドアに設置され、電力供給線１５から供給される電力によって充電されるキャパシタ１７とを備える。ドアが開いて、バッテリ３からドア側への給電が途絶したとき、キャパシタ１７に蓄えられた電力によってパワーウィンドウモータ２を作動することができる。【選択図】図１
2009120156.tif 000002
【特許請求の範囲】
【請求項１】
車体に対し開閉可能な開閉体に設置された電装品と、
前記車体に設置された給電端子と、
前記開閉体に設置され、前記開閉体が閉じているときには前記給電端子と接触または近接することにより前記給電端子との間で電力の授受が可能となり、前記開閉体が開いているときには前記給電端子から離れる受電端子と、
前記電装品を駆動するための電力を、前記給電端子および前記受電端子を介して前記車体側から前記開閉体側へ供給する電力供給線と、
前記開閉体に設置され、前記車体側から供給される電力によって充電されるキャパシタとを備え、
前記電力供給線による前記車体側からの給電が途絶したとき、前記キャパシタに蓄えられた電力によって前記電装品を駆動可能であることを特徴とする車両用電装システム。
【請求項２】
前記車体に設置され、前記電装品に対する作動要求信号を発する制御手段と、
前記作動要求信号を前記車体と前記開閉体との間で無線通信により送受信する無線通信手段と、
を備えることを特徴とする請求項１記載の車両用電装システム。
【請求項３】
前記キャパシタの放電時の電圧降下を補償する昇圧回路を有することを特徴とする請求項１または２記載の車両用電装システム。
【請求項４】
前記キャパシタに印加される電圧を所定電圧でカットする定電圧回路を有することを特徴とする請求項１乃至３の何れか１項記載の車両用電装システム。
【請求項５】
前記キャパシタの静電容量が１０Ｆ〜１００Ｆであることを特徴とする請求項１乃至３の何れか１項記載の車両用電装システム。
【発明の詳細な説明】
【技術分野】
【０００１】
本発明は、車両用電装システムに関する。
【背景技術】
【０００２】
自動車のドアには、例えばパワーウィンドウ、電動ドアミラー、ドアロック装置などの各種の電装品が設置されている。従来、車体とドアとの間には、車体側に設置されたバッテリの電力をドアの電装品に対して供給するための電力供給用ハーネスが架け渡されている。従って、車両組立時には、車体にドアを取り付けた後に、車体からドアへの電力供給用ハーネスを架け渡す作業が必要となり、煩雑である。また、ドアの開閉方式の制約が大きく、スライド式ドアや両開き式ドアなどを実現しにくい。
【０００３】
上記のような問題に対し、例えば特開２０００−３４８９５６号公報には、非接触で電力を授受可能な電磁誘導型コネクタを用いて車体側からドア側へ電力を供給する電装システムが開示されている。この電装システムでは、車体側にはバッテリに連なる一次コイルユニットが設けられ、ドア側には電装品に連なる二次コイルユニットが設けられている。そして、ドアを閉じたときには、一次コイルユニットと二次コイルユニットとが近接することにより、両ユニットの間で電力の授受が可能となり、ドアの電装品に電力を供給することができる。
【０００４】
【特許文献１】特開２０００−３４８９５６号公報
【発明の開示】
【発明が解決しようとする課題】
【０００５】
しかしながら、上記従来の電装システムでは、ドアが開くと、車体側の一次コイルユニットとドア側の二次コイルユニットとが離れるので、給電が途絶する。このため、ドアを開いたときには、パワーウィンドウなどの電装品を作動させることができないという問題がある。
【０００６】
本発明は、上述のような課題を解決するためになされたもので、車体と、ドア等の開閉体との間に架け渡される電力供給用ハーネスを省略することができるとともに、開閉体が開いているときにも開閉体に設置された電装品を駆動することのできる車両用電装システムを提供することを目的とする。
【課題を解決するための手段】
【０００７】
第１の発明は、上記の目的を達成するため、車両用電装システムであって、
車体に対し開閉可能な開閉体に設置された電装品と、
前記車体に設置された給電端子と、
前記開閉体に設置され、前記開閉体が閉じているときには前記給電端子と接触または近接することにより前記給電端子との間で電力の授受が可能となり、前記開閉体が開いているときには前記給電端子から離れる受電端子と、
前記電装品を駆動するための電力を、前記給電端子および前記受電端子を介して前記車体側から前記開閉体側へ供給する電力供給線と、
前記開閉体に設置され、前記車体側から供給される電力によって充電されるキャパシタとを備え、
前記電力供給線による前記車体側からの給電が途絶したとき、前記キャパシタに蓄えられた電力によって前記電装品を駆動可能であることを特徴とする。
【０００８】
また、第２の発明は、第１の発明において、
前記車体に設置され、前記電装品に対する作動要求信号を発する制御手段と、
前記作動要求信号を前記車体と前記開閉体との間で無線通信により送受信する無線通信手段と、
を備えることを特徴とする。
【０００９】
また、第３の発明は、第１または第２の発明において、
前記キャパシタの放電時の電圧降下を補償する昇圧回路を有することを特徴とする。
【００１０】
また、第４の発明は、第１乃至第３の発明の何れかにおいて、
前記キャパシタに印加される電圧を所定電圧でカットする定電圧回路を有することを特徴とする。
【００１１】
また、第５の発明は、第１乃至第４の発明の何れかにおいて、
前記キャパシタの静電容量が１０Ｆ〜１００Ｆであることを特徴とする。
【発明の効果】
【００１２】
第１の発明によれば、開閉体の閉／開に伴って接離する給電端子および受電端子を介して車体側から開閉体側へ電力を供給することができる。これにより、車体から開閉体へ掛け渡される電力供給用ハーネスを無くすことができる。このため、車両組立時に、車体から開閉体への電力供給用ハーネスを架け渡す作業が不要となり、組立容易化が図れる。また、車体から開閉体へ電力供給用ハーネスを掛け渡す必要がないことから、開閉体の開閉方式の自由度を大きくすることができる。更に、第１の発明によれば、開閉体にキャパシタを設けたことにより、開閉体が開いている状態、すなわち車体側から開閉体側への給電が途絶している状態であっても、電装品を作動させることができる。よって、利便性を高めることができる。また、開閉体が閉まっている状態であっても、事故等によって車体側から開閉体側への電力供給線が断線したような場合には、車体側からの給電が途絶するおそれがある。第１の発明によれば、そのような場合であっても、キャパシタに蓄えられた電力によって電装品を作動させることができる。また、開閉体側に設置する補助電源としてキャパシタを使用することにより、２次電池を使用する場合と比べ、次のような様々な利点がある。
（１）急速な充放電が可能である。このため、短時間に大電流を必要とする電装品であっても、十分に駆動することができる。また、十分な充電時間がなかった場合、つまり開閉体を閉めている時間が短かった場合であっても、電装品等を作動させるのに十分な電力を充電することができる。
（２）充放電回数がほぼ無限である。このため、自動車の耐用年数以上の寿命を与えることができ、キャパシタの交換を不要とすることができる。
（３）２次電池と比べて小型化が可能であり、開閉体内部の限られたスペースにも容易に搭載することができる。
（４）爆発や発火の危険性がなく、安全性が高い。
【００１３】
第２の発明によれば、電装品に対する作動要求信号を車体と開閉体との間で無線通信により送受信することができるので、車体から開閉体へ掛け渡される信号伝送用ハーネスを無くすことができる。これにより、車体と開閉体との間に掛け渡されるハーネスを完全に無くすことができ、開閉体全体を車体から独立したモジュールとすることができる。このため、車両組立を更に容易化することができ、また、開閉体の開閉方式の自由度を更に大きくすることができる。
【００１４】
第３の発明によれば、昇圧回路を設けたことにより、キャパシタの放電時に電圧が降下した場合に、その電圧降下を昇圧回路によって補償することができる。すなわち、キャパシタの電圧は、放電に伴って低下していくが、その電圧低下を補い、電装品に印加される電圧を十分な電圧にまで回復させることができる。このため、電装品の作動速度の低下等を確実に防止することができる。
【００１５】
第４の発明によれば、キャパシタの過充電を確実に防止することができ、キャパシタの劣化や損傷を確実に回避することができる。
【００１６】
第５の発明によれば、キャパシタの静電容量を過不足のない適切な値とすることができる。すなわち、開閉体が開いているとき等の給電途絶時においても電装品を必要十分な時間だけ作動させることできるとともに、キャパシタの大型化を抑制でき、キャパシタを開閉体内部に容易に収納することができる。
【発明を実施するための最良の形態】
【００１７】
以下、図面を参照してこの発明の実施の形態について説明する。なお、各図において共通する要素には、同一の符号を付して、重複する説明を省略する。
【００１８】
実施の形態１．
図１は、本発明の実施の形態１の車両用電装システムを示す図である。図１に示す車両用電装システム１は、自動車のドアに設置されたパワーウィンドウモータ２を駆動するためのシステムである。上記ドアは、車体に対し、開閉可能に設けられている。この場合、ドアは、車体に対し回動可能に設けられた通常のタイプのドアのほか、スライド式のドアや、左右両方向から開くことのできる両開き式のドア、ガルウイング式のドアなど、いかなる開閉方式のドアであってもよい。
【００１９】
車体には、パワーウィンドウモータ２を駆動するための電力を蓄えたバッテリ３と、パワーウィンドウモータ２の作動を制御する車体側ＥＣＵ(Electronic Control Unit)４と、給電端子５とが設置されている。バッテリ３は、電力供給線６を介して車体側ＥＣＵ４にも電力を供給している。車体側ＥＣＵ４は、無線送受信回路７と、アンテナ８とを有している。車体側ＥＣＵ４は、パワーウィンドウモータ２に対する作動要求信号を、無線送受信回路７およびアンテナ８を介して、無線通信によりドア側へ送信可能になっている。バッテリ３の＋端子と給電端子５とは、電力供給線９を介して接続されている。
【００２０】
ドアには、受電端子１０と、ドア側ＥＣＵ１１と、乗員がパワーウィンドウを操作するためのパワーウィンドウスイッチ１２とが設置されている。パワーウィンドウスイッチ１２の信号は、ドア側ＥＣＵ１１に入力される。
【００２１】
給電端子５および受電端子１０は、接触型コネクタで構成されている。この給電端子５および受電端子１０は、例えばドアヒンジ付近などに設置される。ドアを閉めたときには、給電端子５と受電端子１０とが互いに接触し、両者の間で電力の授受が可能となる。一方、ドアを開けたときには、給電端子５から受電端子１０が離れて、給電端子５から受電端子１０への電力供給は途絶する。
【００２２】
なお、図１では、車体とドアとの間で、バッテリ３からの電力供給線９，１５のみを給電端子５および受電端子１０を介して接触させる構成としているが、ドア側の回路の動作をより安定化するためには、車体のグランドラインとドアのグランドラインとを接触させるための端子（コネクタ）を更に設ける構成とすることが好ましい。
【００２３】
ドア側ＥＣＵ１１は、無線送受信回路１３とアンテナ１４とを有している。これにより、ドア側ＥＣＵ１１は、車体側ＥＣＵ４との間で無線通信により信号を送受信可能になっている。受電端子１０とドア側ＥＣＵ１１とは、電力供給線１５によって接続されている。また、ドア側ＥＣＵ１１とモータ２とは、電力供給線１６によって接続されている。
【００２４】
ドアには、更に、電力を蓄積可能なキャパシタ１７が設置されている。キャパシタ１７の一方の端子は電力供給線１５に接続されており、他方の端子は接地されている。また、キャパシタ１７とドア側ＥＣＵ１１との間には、昇圧コンバータ１８が設置されている。
【００２５】
本発明において、キャパシタ１７としては、次の何れかのキャパシタを用いることが好ましい。
（１）イオンを含む電解液と電極との界面に形成される電気二重層に電気を蓄えること（イオンの電極への物理的な吸・脱着）を原理とする、電気二重層キャパシタ。
（２）電極の表面上での、物理的な吸・脱着とは異なる種々の電気化学的な吸・脱着（＝酸化・還元反応）を利用した、擬似容量キャパシタ。
（３）電極と電解液との界面で形成される電気二重層による電荷蓄積（イオンの電極への物理的な吸・脱着）と、電極表面上の酸化還元反応による擬似容量（イオンの電極への電気化学的な吸・脱着）との両方を利用した、スーパーキャパシタ。
【００２６】
本発明におけるキャパシタ１７は、上記のようなキャパシタの中でも、静電容量が１０Ｆ以上であるものがより好ましく、特に、高パワー密度と高エネルギー密度を有するスーパーキャパシタであることが更に好ましい。
【００２７】
（ドアが閉まっている場合の動作）
次に、ドアが閉まっている場合の車両電装システム１の動作について説明する。ドアが閉まっている場合には、バッテリ３の電力が、電力供給線９、給電端子５、受電端子１０、電力供給線１５を経て、ドア側ＥＣＵ１１に供給される。この電力によってドア側ＥＣＵ１１が作動可能となる。
【００２８】
乗員がパワーウィンドウスイッチ１２を操作すると、その操作信号は、ドア側ＥＣＵ１１に入力される。ドア側ＥＣＵ１１は、その操作信号に基づいて、電力供給線１５と電力供給線１６との間の断接を制御する。そして、電力供給線１５と電力供給線１６とが導通すると、バッテリ３の電力が電力供給線１６を経てパワーウィンドウモータ２に供給され、パワーウィンドウモータ２が作動する。
【００２９】
あるいは、車体側ＥＣＵ４によって集中制御を行うシステムの場合には、パワーウィンドウスイッチ１２の操作信号をドア側ＥＣＵ１１から車体側ＥＣＵ４へ伝送するようにしてもよい。この場合、ドア側ＥＣＵ１１は、パワーウィンドウスイッチ１２の操作信号が入力されたら、その操作信号を無線通信により車体側ＥＣＵ４へ送信する。車体側ＥＣＵ４は、受信した操作信号に基づいて、パワーウィンドウモータ２に対する作動要求信号を無線通信によりドア側ＥＣＵ１１へ送信する。ドア側ＥＣＵ１１は、受信した作動要求信号に基づいて、電力供給線１５と電力供給線１６との間の断接を制御する。これにより、パワーウィンドウモータ２が作動する。
【００３０】
また、車体側のインストルメントパネルやセンターコンソールあるいは運転席のドア等に設けられたマスタースイッチ（図示せず）が操作された場合には、車体側ＥＣＵ４は、上記マスタースイッチからの操作信号に基づいて、パワーウィンドウモータ２に対する作動要求信号を無線通信によりドア側ＥＣＵ１１へ送信する。ドア側ＥＣＵ１１は、受信した作動要求信号に基づいて、電力供給線１５と電力供給線１６との間の断接を制御する。これにより、パワーウィンドウモータ２が作動する。
【００３１】
そして、ドアが閉まっている場合には、バッテリ３の電圧が、電力供給線９、給電端子５、受電端子１０、電力供給線１５を経て、キャパシタ１７に印加される。これにより、キャパシタ１７が充電され、電気エネルギーが蓄えられる。
【００３２】
（ドアが開いている場合の動作）
次に、ドアが開いている場合の車両電装システム１の動作について説明する。前述したように、ドアが開いている場合には、受電端子１０が給電端子５から離隔することにより、車体側のバッテリ３からドア側への給電が途絶する。車両電装システム１によれば、この給電途絶状態においても、キャパシタ１７に蓄えられた電力によって、ドア側ＥＣＵ１１およびパワーウィンドウモータ２を駆動することができる。この場合、車体側ＥＣＵ４およびドア側ＥＣＵ１１は、ドアが閉まっている場合と同様に動作する。すなわち、ドア側ＥＣＵ１１は、ドアが閉まっている場合と同様にして、電力供給線１５と電力供給線１６との間の断接を制御する。そして、電力供給線１５と電力供給線１６とが導通すると、キャパシタ１７に蓄えられた電力が電力供給線１５，１６を経てパワーウィンドウモータ２に供給され、パワーウィンドウモータ２が作動する。
【００３３】
以上説明したような車両電装システム１によれば、ドアの閉／開に伴って接離する給電端子５および受電端子１０を介してバッテリ３からパワーウィンドウモータ２へ電力を供給することとしたので、車体からドアへ掛け渡される電力供給用ハーネスを無くすことができる。このため、車両組立時に車体にドアを取り付けた後に、車体からドアへの電力供給用ハーネスを架け渡す作業が不要となり、組立容易化が図れる。また、車体からドアへ電力供給用ハーネスを掛け渡す必要がないことから、ドアの開閉方式の自由度が大きい。このため、例えばスライド式リアハッチドア、両開き式ドアなどの特殊な開閉方式のドアを容易に実現することができる。
【００３４】
特に、本実施形態では、車体側ＥＣＵ４とドア側ＥＣＵ１１との間で無線通信可能としたことにより、車体からドアへ掛け渡される信号伝送用ハーネスを無くすこともできる。これにより、車体とドアとの間に掛け渡されるハーネスを完全に無くすことができ、ドア全体を車体から独立したモジュールとすることができる。このため、車両組立を更に容易化することができ、ドア開閉方式の自由度も更に大きくすることができる。
【００３５】
また、上述したように、車両電装システム１では、ドア側にキャパシタ１７を設けたことにより、ドアが開いている状態、すなわちバッテリ３からドアへの給電が途絶している状態であっても、パワーウィンドウモータ２を作動させることができる。このため、ドアを開けているときでもパワーウィンドウの昇降操作を行うことができ、利便性を高めることができる。また、ドアが閉まっている状態であっても、事故等によってバッテリ３からドア側への電力供給線９が断線したような場合には、バッテリ３からの給電が途絶するおそれがある。本実施形態の車両電装システム１によれば、そのような場合であっても、キャパシタ１７に蓄えられた電力によってパワーウィンドウモータ２を作動させることができる。このため、緊急脱出時等において高い安全性が得られる。
【００３６】
また、ドア側に設置する補助電源として、キャパシタ１７の代わりに２次電池を使用することも考えられるが、本発明によれば、キャパシタ１７を使用することにより、２次電池を使用する場合と比べ、次のような様々な利点がある。
【００３７】
（１）急速な充放電が可能である。このため、パワーウィンドウモータ２のように、短時間に大電流を必要とする電装品であっても、十分に駆動することができる。また、十分な充電時間がなかった場合、つまりドアを閉めている時間が短かった場合であっても、パワーウィンドウモータ２等を作動させるのに十分な電力を充電することができる。
（２）充放電回数がほぼ無限である。このため、自動車の耐用年数以上の寿命を与えることができ、キャパシタ１７の交換を不要とすることができる。
（３）２次電池と比べて小型化が可能であり、ドア内部の限られたスペースにも容易に搭載することができる。
（４）爆発や発火の危険性がなく、安全性が高い。
【００３８】
また、本実施形態では、昇圧コンバータ１８を設けたことにより、キャパシタ１７の放電時に電圧が降下した場合に、その電圧降下を昇圧コンバータ１８によって補償することができる。すなわち、キャパシタ１７の電圧は、放電に伴って低下していくが、その電圧低下を補い、パワーウィンドウモータ２に印加される電圧を十分な電圧にまで回復させることができる。このため、パワーウィンドウの作動速度の低下等を確実に防止することができる。
【００３９】
図２は、上述した車両用電装システム１のキャパシタ１７に印加される電圧を、所定電圧でカットする定電圧回路を示す図である。図２に示すように、本実施形態におけるキャパシタ１７は、複数のキャパシタ１７ａを直列に接続して構成されている。キャパシタ１７ａには最大使用電圧が定められている（以下の説明では２．５Ｖとする）。このため、キャパシタ１７ａを複数個直列に接続して使用することにより、キャパシタ１７に必要とされる電圧を得ている。本実施形態ではキャパシタ１７ａが５個直列に接続されているので、キャパシタ１７全体としての最大使用電圧は、２．５Ｖ×５＝１２．５Ｖとなる。
【００４０】
図１に示すシステムにおいて、バッテリ３には、通常、オルタネータ（図示せず）が接続される。よって、キャパシタ１７には、オルタネータの発電電圧が作用する。そして、オルタネータの発電電圧は、車両の走行状態によって変化し、キャパシタ１７の最大使用電圧を超える場合もある。キャパシタ１７に印加される電圧が最大使用電圧を超えると、各キャパシタ１７ａが過充電となり、内部の電解液が電気分解を生ずるなどして、各キャパシタ１７ａが劣化するおそれがある。
【００４１】
本実施形態では、上記のような問題を確実に回避するため、図２に示すような定電圧回路を設けている。この定電圧回路は、キャパシタ１７ａと同数のツェナーダイオード１９を有しており、各ツェナーダイオード１９は、各キャパシタ１７ａと並列に接続されている。ツェナーダイオード１９のツェナー電圧（降伏電圧）は、キャパシタ１７ａの最大使用電圧と同じ電圧に設定されている。このような構成により、オルタネータの発電電圧が高くなった場合であっても、各キャパシタ１７ａに印加される電圧を最大使用電圧でカットすることができる。このため、各キャパシタ１７ａの過充電を確実に防止することができ、各キャパシタ１７ａの劣化や損傷を確実に回避することができる。
【００４２】
なお、本発明において、定電圧回路は、図２に示すようなツェナーダイオードを利用した構成に限定されるものではない。すなわち、本発明では、例えば、電圧をモニタして出力トランジスタをＯＮ／ＯＦＦするような、アクティブな定電圧回路を用いてもよい。
【００４３】
キャパシタ１７の静電容量（複数のキャパシタが直列や並列に接続されて構成されている場合には、それらの合成容量）は、特に限定されないが、過不足のない適切な静電容量とする上では、パワーウィンドウ等の電装品を数回作動させることができる程度の容量であることが好ましい。例えば、キャパシタ１７の初期電圧を１２Ｖ、終了電圧を１０Ｖ、パワーウィンドウモータ２の負荷電流を５Ａ、往復駆動回数を５回、往復の駆動時間を各１秒と仮定した場合には、キャパシタ１７の所要静電容量は２５Ｆとなる。この所要静電容量は、一例であり、ウィンドウの大きさや、他の電装品（例えば電動ドアミラー、ドアロック装置等）の有無に応じて変化する。このようなことから、キャパシタ１７の静電容量は、１０Ｆ〜１００Ｆであることが好ましく、１０Ｆ〜４０Ｆであることがより好ましい。キャパシタ１７の静電容量が上記範囲にある場合には、ドア開時等の給電途絶時においても、電装品を必要十分な時間だけ作動させることできるとともに、キャパシタ１７の大型化を抑制でき、キャパシタ１７をドア内部に容易に収納することができる。
【００４４】
以上説明した実施の形態１においては、本発明をドア、特にパワーウィンドウを有するドアに適用した場合について説明したが、本発明の適用対象はドアに限定されるものではない。すなわち、本発明は、車体に対し開閉可能に設置される各種の開閉体（例えばサンルーフ、開閉式ハードトップ、エンジンフードパネル、トランクパネル、トラックの荷室の扉等）に適用することができる。また、対象とする電装品についても、パワーウィンドウに限らず、例えば、電動ドアミラー、灯火類、ロック機構など、いかなるものであってもよい。また、開閉体に複数の電装品が設置され、それらの各電装品にキャパシタから電力を供給可能になっていてもよい。
【００４５】
また、本実施形態では、車体側ＥＣＵ４とドア側ＥＣＵ１１とが双方向に無線通信可能である場合について説明したが、これらは一方向にのみ無線通信可能であるものでもよい。また、本発明は、車体側と開閉体側とが有線により通信を行うシステムや、開閉体側にＥＣＵを備えないシステムにも適用可能である。
【００４６】
また、本実施形態においては、車体側ＥＣＵ４が前記第２の発明における「制御手段」に、無線送受信回路７，１３およびアンテナ８，１４が前記第２の発明における「無線通信手段」に、昇圧コンバータ１８が前記第３の発明における「昇圧回路」に、それぞれ相当している。
【００４７】
実施の形態２．
次に、図３を参照して、本発明の実施の形態２について説明するが、上述した実施の形態１との相違点を中心に説明し、同様の事項については、その説明を簡略化または省略する。
【００４８】
前述した実施の形態１の車両用電装システム１では、接触型コネクタ（給電端子５および受電端子１０）を介して車体側からドア側へ電力を授受していたが、本実施形態の車両用電装システム１’では、以下に説明するように、電磁誘導コネクタを介して車体側からドア側へ電力を授受する。
【００４９】
図３に示すように、本実施形態の車両用電装システム１’では、車体側に給電端子２０およびＤＣ／ＡＣインバータ２１が、ドア側に受電端子２２およびＡＣ／ＤＣコンバータ２３が、それぞれ設置されている。ドアを閉めたとき、給電端子２０と受電端子２２とは互いに近接する。給電端子２０には一次コイルが内蔵され、受電端子２２には二次コイルが内蔵されている。
【００５０】
ドアを閉めた状態のときには、バッテリ３から電力供給線９を介して供給された直流電流をＤＣ／ＡＣインバータ２１が交流電流に変換して給電端子２０に供給すると、電磁誘導作用により、給電端子２０内の一次コイルから受電端子２２内の二次コイルへと電力が授受される。受電端子２２が受電した交流電流は、ＡＣ／ＤＣコンバータ２３によって直流電流に変換され、電力供給線１５に供給される。
【００５１】
以上説明したように、本実施形態では、給電端子２０と受電端子２２との間で非接触で給電を行うことができる。このため、ドアを閉めた状態のとき、両端子の接触不良によって給電が途絶するおそれがなく、より確実な給電を行うことができる。
【００５２】
本発明では、給電端子と受電端子との間で非接触で給電する場合、上記のような電磁誘導を利用するものに限らず、例えばマイクロ波を用いて送電する方式など、各種の方式を利用することができる。
【図面の簡単な説明】
【００５３】
【図１】本発明の実施の形態１の車両用電装システムを示す図である。
【図２】キャパシタに印加される電圧を所定電圧でカットする定電圧回路を示す図である。
【図３】本発明の実施の形態２の車両用電装システムを示す図である。
【符号の説明】
【００５４】
１，１’  車両用電装システム
２  パワーウィンドウモータ
３  バッテリ
４  車体側ＥＣＵ
５，２０  給電端子
６，９，１５，１６  電力供給線
７，１３  無線送受信回路
８，１４  アンテナ
１０，２２  受電端子
１１  ドア側ＥＣＵ
１２  パワーウィンドウスイッチ
１７，１７ａ  キャパシタ
１８  昇圧コンバータ
１９  ツェナーダイオード
２１  ＤＣ／ＡＣインバータ
２３  ＡＣ／ＤＣコンバータ
【図１】
2009120156.tif 000003
【図２】
2009120156.tif 000004
【図３】
2009120156.tif 000005